(57)【要約】【課題】  着地から離地までの時間を短縮できるシューズ用ソール構造を提供する。【解決手段】  ソール構造体１は、シューズの踵部Ｈに設けられた軟質弾性部材製のミッドソール２を備えている。ミッドソール２の踵部位には、幅方向に延びかつ踵部位の接地面側に開口する複数の溝２０が形成されており、各溝２０が、踵部位の内部において足裏当接面側に向かうにしたがい徐々に踵部位の後端２ｅ側に傾斜しつつ延びている。踵からの着地時に下方への押付荷重が作用すると、隣り合う各溝２０で挟まれたミッドソール部分２５が後方に倒れ込むように剪断変形する。すると、ミッドソール２の踵部位が、したがって着用者の足がΔだけ進行方向と逆方向の後方に移動する。その結果、着地時には、足関節角度α0 が減少することになる。これにより、図４Ａの状態から図４Ｂの状態に迅速に移行することが可能になって、着地から離地までの時間を短縮できるようになる。【選択図】  図２Ｂ
2005218543.tif 000002
【特許請求の範囲】
【請求項１】
シューズのソール構造であって、
シューズの少なくとも踵部に設けられた軟質弾性部材製のミッドソールを備え、
前記ミッドソールの踵部位には、実質的に幅方向に延びかつ前記踵部位の接地面側に開口する複数の溝が形成されており、
前記各溝が、前記踵部位の内部において前記踵部位の足裏当接面側に向かうにしたがい徐々に前記踵部位の後端側に傾斜しつつ延びている、
ことを特徴とするシューズのソール構造。
【請求項２】
請求項１において、
前記ミッドソールがシューズの中足部外側部分にも設けられており、前記ミッドソールの中足部位外側部分には、実質的に幅方向に延びかつ前記中足部位外側部分の接地面側に開口する複数の溝が形成されており、
前記各溝が、前記中足部位の内部において前記中足部位の足裏当接面側に向かうにしたがい徐々に前記中足部位の後端側に傾斜しつつ延びている、
ことを特徴とするシューズのソール構造。
【請求項３】
請求項１または２において、
前後方向に隣り合う前記各溝の間に配置されるミッドソール部分が、平行四辺形状または台形状の前後方向断面形状を有している、
ことを特徴とするシューズのソール構造。
【請求項４】
請求項１ないし３のいずれかにおいて、
前後方向に隣り合う前記各溝の間に配置されるミッドソール部分が、シューズの着地時には、後方に倒れ込むように変形するように構成されている、
ことを特徴とするシューズのソール構造。
【請求項５】
請求項１において、
前記ミッドソールがシューズの前足部にも設けられており、
前記ミッドソールの前足部位には、実質的に幅方向に延びかつ前記前足部位の接地面側に開口する複数の溝が形成されており、
前記各溝が、前記前足部位の内部において前記前足部位の足裏当接面側に向かうにしたがい徐々に前記前足部位の前端側に傾斜しつつ延びている、
ことを特徴とするシューズのソール構造。
【請求項６】
請求項５において、
前後方向に隣り合う前記各溝の間に配置されるミッドソール部分が、平行四辺形状または台形状の前後方向断面形状を有している、
ことを特徴とするシューズのソール構造。
【請求項７】
請求項５または６において、
前後方向に隣り合う前記各溝の間に配置されるミッドソール部分が、シューズの着地時には、前方に倒れ込むように変形するように構成されている、
ことを特徴とするシューズのソール構造。
【請求項８】
シューズのソール構造であって、
軟質弾性部材製のミッドソールを備え、
前記ミッドソールの踵部位の側面には、実質的に上下方向に延びる複数の凹部が形成されており、
前記各凹部が、前記踵部位の前記側面において前記踵部位の足裏当接面側に向かうにしたがい徐々に前記踵部位の後端側に傾斜しつつ延びている、
ことを特徴とするシューズのソール構造。
【請求項９】
シューズのソール構造であって、
軟質弾性部材製のミッドソールを備え、
前記ミッドソールの前足部位の側面には、実質的に上下方向に延びる複数の凹部が形成されており、
前記各凹部が、前記前足部位の前記側面において前記前足部位の足裏当接面側に向かうにしたがい徐々に前記前足部位の前端側に傾斜しつつ延びている、
ことを特徴とするシューズのソール構造。
【請求項１０】
請求項１、２、５、８または９において、
前記ミッドソールの硬度が、ＪＩＳ  Ｋ  ７３１２型の硬度で３５以上７０以下である、
ことを特徴とするシューズのソール構造。
【請求項１１】
シューズのソール構造であって、
シューズの少なくとも踵部に設けられた軟質弾性部材製のミッドソールと、
前記ミッドソールの踵部位の接地面側に設けられ、前記ミッドソールよりも硬質の部材から構成されるとともに、互いに前後方向の間隔を隔てて配置された複数のアウトソールプレートとを備え、
前記各アウトソールプレートの前端面および後端面が、前記ミッドソールの前記踵部位の前記接地面側に向かうにしたがい、前記ミッドソールの後端側に傾斜しつつ延びている、
ことを特徴とするシューズのソール構造。
【請求項１２】
請求項１１において、
前記各アウトソールプレートが、平行四辺形状または台形状の前後方向断面形状を有している、
ことを特徴とするシューズのソール構造。
【請求項１３】
請求項１１または１２において、
前記各アウトソールプレートは、シューズの着地時には、後方に倒れ込むように変形するように構成されている、
ことを特徴とするシューズのソール構造。
【請求項１４】
請求項１１において、
前記ミッドソールがシューズの前足部にも設けられるとともに、
前記アウトソールプレートが前記ミッドソールの前足部位の接地面側に設けられ、前記ミッドソールよりも硬質の部材から構成されるとともに、互いに前後方向の間隔を隔てて配置された複数のプレートから構成されており、
前記各アウトソールプレートの前端面および後端面が、前記ミッドソールの前記前足部位の前記接地面側に向かうにしたがい、前記前足部位の前端側に傾斜しつつ延びている、
ことを特徴とするシューズのソール構造。
【請求項１５】
請求項１４において、
前記各アウトソールプレートが、平行四辺形状または台形状の前後方向断面形状を有している、
ことを特徴とするシューズのソール構造。
【請求項１６】
請求項１４または１５において、
前記各アウトソールプレートは、シューズの着地時には、前方に倒れ込むように変形するように構成されている、
ことを特徴とするシューズのソール構造。
【請求項１７】
請求項１１または１４において、
前記各アウトソールの硬度が、ＪＩＳ  Ｋ  ６２５３型の硬度で４０以上８０以下である、
ことを特徴とするシューズのソール構造。
【発明の詳細な説明】
【技術分野】
【０００１】
本発明は、ランニング、ジョギングおよびウォーキングなどのスポーツに好適のシューズのソール構造に関し、詳細には、着地してから離地するまでの時間を短縮できる構造に関する。
【背景技術】
【０００２】
走行を主目的としたランニングシューズなどのスポーツシューズにおいては、路面に着地してから路面を蹴り出して離地していくまでの１サイクルに要する時間をできるだけ短縮できる方が好ましい。
【０００３】
しかしながら、このような観点から開発されたシューズは、これまでのところとくになく、本願発明は、新規な着眼点からなされたものである。
【０００４】
ところで、外観上、本願発明に類似するシューズ用ソール構造として、特開２０００−１９７５０３号公報に示すものがある。このソール構造は、上方にいくにしたがい斜め前方に傾斜する剪断変形要素を踵部に有している。
【０００５】
この場合には、ソール構造に上方からの荷重が作用したときに、剪断変形要素が前方に倒れるように剪断変形して、走行時の衝撃を緩和するようになっている。この剪断変形要素は、後述するように、本願発明におけるミッドソール部分やアウトソールプレートとは逆方向に傾斜しており、本願発明とは異なる着眼点から考案されたものである。
【特許文献１】特開２０００−１９７５０３号公報
【発明の開示】
【発明が解決しようとする課題】
【０００６】
本発明が解決しようとする課題は、シューズのソール構造において、着地から離地までの時間を短縮できるようにする点にある。
【課題を解決するための手段】
【０００７】
本発明は、ミッドソール踵部位に複数の溝を形成するとともに、これらの溝をミッドソール踵部位の内部において足裏当接面に向かうにしたがい徐々に踵後端側に傾斜させたことを最も主要な特徴とする。
【０００８】
ここで、足が着地してから離地していくまでの走行中の１サイクル(gait cycle) における足関節角度の変化について図３Ａ〜図３Ｃを用いて説明する。これらの図において、図３Ａは着地時の状態を、図３Ｃは離地時の状態を、図３Ｂはその中間の状態をそれぞれ示している。
【０００９】
各図中、脚の腓骨上端最突点Ｐと外果最突点Ｑとを結ぶ線Ｌがソール面Ｓと交差する角度αが足関節角度である。これらの図から分かるように、着地時の足関節角度α0 ，離地時の足関節角度α2 ，およびこれらの中間状態の足関節角度α1の間には、以下に示すような関係がある。すなわち
α0 ＞α1
α1 ＜α2
このことより、着地してから離地に到るまでの中間段階において、足関節角度が減少していることが分かる。
本願発明は、このような１サイクル中の足関節角度の変化に着目してなされたものである。
【００１０】
請求項１の発明に係るシューズのソール構造は、シューズの少なくとも踵部に設けられた軟質弾性部材製のミッドソールを備えており、ミッドソールの踵部位には、実質的に幅方向に延びかつ踵部位の接地面側に開口する複数の溝が形成されるとともに、各溝が、踵部位の内部において踵部位の足裏当接面側に向かうにしたがい徐々に踵部位の後端側に傾斜しつつ延びている（図２Ａ参照）。
【００１１】
請求項１の発明に係るソール構造によれば、踵からの着地時に下方への押付荷重が作用すると、隣り合う各溝で挟まれたミッドソール部分が後方に倒れ込むように剪断変形する（図２Ｂ参照）。このような剪断変形により、着地時には、ミッドソールの踵部位が、したがって着用者の足がΔだけ進行方向と逆方向の後方に移動する。
【００１２】
このことを図３Ａに示す着地時の状態において考察する。着地時に足がΔだけ後方に移動することになると、図３Ａにおいて、脚の腓骨上端最突点Ｐの位置が変わらずに、外果最突点Ｑの位置が進行方向（同図右方向）とは逆側の後方（同図左方向）に移動することになる。すると、腓骨上端最突点Ｐと外果最突点Ｑを結ぶ線Ｌがソール面Ｓと交差する角度である足関節角度α0 が減少することになる。言い換えると、シューズ着用者が図３Ａの状態から図３Ｂの状態への移行を意識することなく、着地時におけるミッドソール踵部位の後方への剪断変形によって足関節角度α0 が減少することになる。これにより、図３Ａの状態から図３Ｂの状態に迅速に移行することが可能になる。その結果、着地してから離地するまでの時間を短縮できるようになる。
【００１３】
請求項１１の発明に係るシューズのソール構造は、シューズの少なくとも踵部に設けられた軟質弾性部材製のミッドソールと、ミッドソールの踵部位の接地面側に設けられ、ミッドソールよりも硬質の部材から構成されるとともに、互いに前後方向の間隔を隔てて配置された複数のアウトソールプレートとを備えており、各アウトソールプレートの前端面および後端面が、ミッドソールの踵部位の接地面側に向かうにしたがい、ミッドソールの後端側に傾斜しつつ延びている（図５Ａ参照）。
【００１４】
請求項１１の発明においては、踵からの着地時に下方への押付荷重が作用すると、アウトソールプレートが後方に倒れ込むように剪断変形することにより（図５Ｂ参照）、着地時には、ミッドソールの踵部位が、したがって着用者の足がΔ”だけ進行方向と逆方向の後方に移動する。
【００１５】
したがって、この場合においても、請求項１の発明の場合と同様に、着地時に足関節角度α0 が減少することになり、これにより、図３Ａの状態から図３Ｂの状態に迅速に移行することが可能になって、着地から離地までの時間を短縮できるようになる。
【００１６】
請求項２の発明に係るシューズのソール構造は、請求項１において、ミッドソールがシューズの中足部外側部分にも設けられており、ミッドソールの中足部位外側部分には、実質的に幅方向に延びかつ中足部位外側部分の接地面側に開口する複数の溝が形成されており、各溝が、中足部位の内部において中足部位の足裏当接面側に向かうにしたがい徐々に中足部位の後端側に傾斜しつつ延びている。
【００１７】
請求項２の発明によれば、着地時に中足部外側部分に下方への押付荷重が作用すると、隣り合う各溝で挟まれたミッドソール部分が後方に倒れ込むように剪断変形する。このような剪断変形により、シューズの中足部外側部分での着地時には、ミッドソールの中足部位外側部分が、したがって着用者の足が進行方向と逆方向の後方に所定量移動する。
【００１８】
これにより、中足部位外側部分での着地時においても足関節角度α0 が減少することになり、その結果、図３Ａの状態から図３Ｂの状態により迅速に移行することが可能になって、着地から離地までの時間をさらに短縮できるようになる。
【００１９】
請求項３または１２の発明においては、隣り合う各溝の間のミッドソール部分または各アウトソールプレートが平行四辺形状または台形状の前後方向断面形状を有している。
【００２０】
請求項４または１３の発明は、本願発明の内容を作用効果的な観点から記載しており、ミッドソール部分または各アウトソールプレートが、シューズの着地時に後方に倒れ込むように変形するように構成されている点を明確にしたものである。
【００２１】
請求項５の発明に係るソール構造は、請求項１の発明において、ミッドソールをシューズの前足部にも設けるとともに、ミッドソールの前足部位に、請求項１の発明における溝とは傾斜方向が逆方向の溝を形成したものである。すなわち、この場合には、実質的に幅方向に延びかつミッドソールの前足部位の接地面側に開口する各溝が、前足部位の内部において前足部位の足裏当接面側に向かうにしたがい徐々に前足部位の前端側に傾斜しつつ延びている（図４Ａ参照）。
【００２２】
請求項５の発明に係るソール構造によれば、踵からの着地後、体重が足の前足部に移動したときに、ミッドソールの前足部位に下方への押付荷重が作用すると、隣り合う各溝で挟まれたミッドソール部分が前方に倒れ込むように剪断変形する（図４Ｂ参照）。このような剪断変形により、前足部への体重移動時には、ミッドソールの前足部位が、したがって着用者の足がΔ′だけ進行方向に移動する。
【００２３】
このことを図３Ｂに示す、前足部への体重移動時の状態において考察する。前足部への体重移動時に足がΔ′だけ前方に移動することになると、図３Ｂにおいて、脚の腓骨上端最突点Ｐの位置が変わらずに、外果最突点Ｑの位置が進行方向（同図右方向）に移動することになる。すると、腓骨上端最突点Ｐと外果最突点Ｑを結ぶ線Ｌがソール面Ｓと交差する角度である足関節角度α１ が増加することになる。言い換えると、シューズ着用者が図３Ｂの状態から図３Ｃの状態への移行を意識することなく、前足部への体重移動時におけるミッドソール前足部位の前方への剪断変形によって足関節角度α１ が増加することになる。これにより、図３Ｂの状態から図３Ｃの状態に迅速に移行することが可能になる。その結果、着地してから離地するまでの時間をさらに短縮できるようになる。
【００２４】
請求項１４の発明に係るシューズのソール構造は、請求項１１の発明において、ミッドソールをシューズの前足部にも設けるとともに、ミッドソールの前足部位に、請求項１１の発明におけるアウトソールプレートとは前後端面の傾斜方向が逆方向のアウトソールプレートを設けたものである。すなわち、この場合には、各アウトソールプレートの前端面および後端面が、ミッドソール前足部位の足裏当接面に向かうにしたがい徐々に前足部位の前端側に傾斜しつつ延びている。
【００２５】
請求項１４の発明に係るソール構造によれば、踵での着地後、体重が足の前足部に移動したときに、前足部のアウトソールプレートに下方への押付荷重が作用すると、各アウトソールプレートが前方に倒れ込むように剪断変形する（図示省略）。このような剪断変形により、前足部への体重移動時には、前足部のアウトソールプレートが、したがって着用者の足が所定量進行方向に移動する。
【００２６】
したがって、この場合においても、請求項５の発明の場合と同様に、前足部への体重移動時に足関節角度α１ が増加することになり、これにより、図３Ｂの状態から図３Ｃの状態に迅速に移行することが可能になって、着地から離地までの時間を短縮できるようになる。
【００２７】
請求項６または１５の発明においては、前足部におけるミッドソール部分またはアウトソールプレートが平行四辺形状または台形状の前後方向断面形状を有している。
【００２８】
請求項７または１６の発明は、本願発明の内容を作用効果的な観点から記載しており、ミッドソール部分または各アウトソールプレートが、前足部への体重移動時に前方に倒れ込むように変形するように構成されている点を明確にしたものである。
【００２９】
請求項８の発明に係るシューズのソール構造は、ミッドソールの踵部位の側面に、実質的に上下方向に延びる複数の凹部が形成されており、各凹部が、踵部位の足裏当接面側に向かうにしたがい徐々に踵部位の後端側に傾斜しつつ延びている（図６ないし図９参照）。
【００３０】
この場合には、踵からの着地時に下方への押付荷重が作用すると、隣り合う各凹部で挟まれたミッドソール部分が後方に倒れ込むように剪断変形する。このような剪断変形により、着地時には、ミッドソールの踵部位が、したがって着用者の足が進行方向と逆方向の後方に所定量移動する。
【００３１】
その結果、請求項１の発明の場合と同様に、シューズ着用者が図３Ａの状態から図３Ｂの状態への移行を意識することなく、着地時におけるミッドソール踵部位の後方への剪断変形によって足関節角度α0 が減少することになる。これにより、図３Ａの状態から図３Ｂの状態に迅速に移行することが可能になる。これにより、着地してから離地するまでの時間を短縮できるようになる。
【００３２】
請求項９の発明に係るシューズのソール構造は、ミッドソールの前足部位の側面に、実質的に上下方向に延びる複数の凹部が形成されており、各凹部が、前足部位の足裏当接面側に向かうにしたがい徐々に前足部位の前端側に傾斜しつつ延びている。
【００３３】
この場合には、踵からの着地後、体重が足の前足部に移動したときに、ミッドソールの前足部位に下方への押付荷重が作用すると、隣り合う各凹部で挟まれたミッドソール部分が前方に倒れ込むように剪断変形する。このような剪断変形により、前足部への体重移動時には、ミッドソールの前足部位が、したがって着用者の足が進行方向に所定量移動する。
【００３４】
その結果、請求項５の発明の場合と同様に、シューズ着用者が図３Ｂの状態から図３Ｃの状態への移行を意識することなく、前足部への体重移動時におけるミッドソール前足部位の前方への剪断変形によって足関節角度α１ が増加することになる。これにより、図３Ｂの状態から図３Ｃの状態に迅速に移行することが可能になる。これにより、着地してから離地するまでの時間をさらに短縮できるようになる。
【００３５】
請求項１０の発明においては、ミッドソールの硬度がＪＩＳ  Ｋ  ７３１２型の硬度で３５以上７０以下になっており、請求項１７の発明においては、アウトソールプレートの硬度がＪＩＳ  Ｋ  ６２５３型の硬度で４０以上８０以下になっている。
【発明の効果】
【００３６】
本発明に係るソール構造によれば、着地してから離地するまでの１サイクルに要する時間を短縮できる。
【発明を実施するための最良の形態】
【００３７】
図１に示すように、本発明によるシューズのソール構造体１は、シューズの踵部Ｈから土踏まず部（中足部）Ｍをへて前足部Ｆにかけて延設されたミッドソール２を有している。ミッドソール２は、たとえば、エチレン−酢酸ビニル共重合体（ＥＶＡ）等の熱可塑性樹脂の発泡体やポリウレタン（ＰＵ）等の熱硬化性樹脂の発泡体、またはブタジエンラバーやクロロプレンラバー等のラバー素材の発泡体のような軟質弾性部材から構成されている。ミッドソール２の硬度としては、ＪＩＳ  Ｋ  ７３１２型の硬度で３５以上７０以下、好ましくは５５以上７０以下の硬度が用いられる。
【００３８】
ミッドソール２の踵部位には、実質的に幅方向に延びる複数（ここでは２本）の溝２０が形成されている。各溝２０の中心線Ｃ１は、ラスト中心線Ｃ０と略直交している。各溝２０は、図２Ａに示すように、踵部位の接地面側（つまり下面側）に開口している。また、各溝２０は、踵部位の内部において踵部位の足裏当接面側（つまり上面側）に向かうにしたがい徐々に踵部位の後端２ｅ側に傾斜しつつ延びている。
【００３９】
前後方向に隣り合う各溝２０の間に形成されるミッドソール部分２５の前後方向断面形状は、図２Ａに示すように、平行四辺形状または台形形状を有している。同図に示すように、ミッドソール部分２５の下面の両端の角度をそれぞれθ１，θ２とするとき、θ１ ＜９０°であり、好ましくは、θ１ ≧３０°である。また、θ１ ＋θ２ ＝１８０°であれば、ミッドソール部分２５の前後方向断面形状は平行四辺形となり、θ１ ＋θ２ ≠１８０°であれば、ミッドソール部分２５の前後方向断面形状は台形となる。
【００４０】
各ミッドソール部分２５の下面には、これを覆うようにアウトソールプレート３が接着されている。アウトソールプレート３は、ミッドソール２よりも硬質の部材から構成されており、アウトソールプレート３の硬度としては、ＪＩＳ  Ｋ  ６２５３型の硬度で４０以上８０以下、好ましくは６５以上８０以下の硬度が用いられる。
【００４１】
また、図１に示す例では、ミッドソール２の中足部位外側部分にも、溝２０と同様の複数の溝２１が形成されている。すなわち、これらの溝２１は、実質的に幅方向に延び、中足部位外側部分の接地面（下面）側に開口するとともに、中足部位の内部において中足部位の足裏当接面（上面）側に向かうにしたがい徐々に中足部位の後端側に傾斜しつつ延びている。また、前後方向に隣り合う各溝２１の間に形成される各ミッドソール部分の下面には、これを覆うようにアウトソールプレート４が接着されている。
【００４２】
このように構成されたソール構造においては、踵からの着地時に下方への押付荷重が作用すると、隣り合う各溝２０で挟まれたミッドソール部分２５が、図２Ｂに示すように、後方（図右方）に倒れ込むように剪断変形する。なお、図２Ｂ中、点線は変形前の状態を、実線は変形後の状態をそれぞれ示している。このような剪断変形によって、踵からの着地時には、ミッドソール２の踵部位が、したがって着用者の足がΔだけ進行方向と逆方向の後方に移動する。
【００４３】
このことを図３Ａに示す着地時の状態において考察する。踵からの着地時に足がΔだけ後方に移動することになると、図３Ａにおいて、脚の腓骨上端最突点Ｐの位置が変わらずに、外果最突点Ｑの位置が進行方向（同図右方向）とは逆側の後方（同図左方向）に移動することになる。すると、腓骨上端最突点Ｐと外果最突点Ｑを結ぶ線Ｌがソール面Ｓと交差する角度である足関節角度α0 が減少することになる。言い換えると、シューズ着用者が図３Ａの状態から図３Ｂの状態への移行を意識して行なうことなく、着地時におけるミッドソール踵部位の後方への剪断変形によって足関節角度α0 が減少することになる。これにより、図３Ａの状態から図３Ｂの状態に迅速に移行することが可能になる。その結果、着地してから離地するまでの時間を短縮できるようになる。
【００４４】
また、この場合には、踵からの着地後または踵からの着地と同時に、中足部外側部分に下方への押付荷重が作用すると、隣り合う各溝２１で挟まれたミッドソール部分が、ミッドソール部分２５の場合と同様に、後方に倒れ込むように剪断変形する。このような剪断変形により、シューズの中足部外側部分での着地時には、ミッドソールの中足部位外側部分が、したがって着用者の足が進行方向と逆方向の後方に所定量移動する。
【００４５】
これにより、中足部位外側部分での着地時においても足関節角度α0 が減少することになる。その結果、図３Ａの状態から図３Ｂの状態により迅速に移行することが可能になり、着地から離地までの時間をさらに短縮できるようになる。
【００４６】
なお、図１に示す例では、ミッドソール２の前足部位にも、実質的に幅方向に延びかつ前足部位の接地面側に開口する複数の溝２２が形成されている。これらの溝２２は、図４Ａに示すように、前足部位の内部において前足部位の足裏当接面側に向かうにしたがい徐々に前足部位の前端２ｆ側に傾斜しつつ延びている。すなわち、ミッドソール内部における溝２２の傾斜方向は、溝２０，２１の傾斜方向とは逆になっている。また、前後方向に隣り合う各溝２０の間のミッドソール部分２７は、ミッドソール部分２５と同様に、平行四辺形状または台形形状の前後方向断面形状を有している。各ミッドソール部分２７の下面には、これを覆うアウトソールプレート５が着されている。
【００４７】
この場合には、踵からの着地後、体重がシューズの前足部に移動したときに、ミッドソール２の前足部位に下方への押付荷重が作用すると、隣り合う各溝２２で挟まれたミッドソール部分２７が、図４Ｂに示すように、前方に倒れ込むように剪断変形する。なお、同図において、点線は変形前の状態を、実線は変形後の状態をそれぞれ示している。このような剪断変形によって、前足部への体重移動時には、ミッドソール２の前足部位が、したがって着用者の足がΔ′だけ進行方向に移動する。
【００４８】
このことを図３Ｂに示す、前足部への体重移動時の状態において考察する。前足部への体重移動時に足がΔ′だけ前方に移動することになると、図３Ｂにおいて、脚の腓骨上端最突点Ｐの位置が変わらずに、外果最突点Ｑの位置が進行方向（同図右方向）に移動することになる。すると、腓骨上端最突点Ｐと外果最突点Ｑを結ぶ線Ｌがソール面Ｓと交差する角度である足関節角度α１ が増加することになる。言い換えると、シューズ着用者が図３Ｂの状態から図３Ｃの状態への移行を意識して行なうことなく、前足部への体重移動時におけるミッドソール前足部位の前方への剪断変形によって足関節角度α１ が増加することになる。これにより、図３Ｂの状態から図３Ｃの状態に迅速に移行することが可能になる。その結果、着地してから離地するまでの時間をさらに短縮できるようになる。
【００４９】
［他の実施例１］
前記実施例では、ミッドソール２に複数の溝２０，２１，２２を形成した例を示したが、本発明の適用はこれに限定されない。図５Ａに示すように、ミッドソール２には溝を形成せずに、ミッドソール２の踵部位の下面に、前後方向に間隔を隔てて複数枚のアウトソールプレート３′を設けるとともに、各アウトソールプレート３′の前端面３′ｆおよび後端面３′ｅを、ミッドソール２の踵部位の接地面側（つまり上方）に向かうにしたがい、ミッドソール２の後端２ｅ側に傾斜しつつ延びる傾斜面とするようにしてもよい。各アウトソールプレート３′は、前記実施例のミッドソール部分２５，２７と同様に、平行四辺形状または台形状の前後方向断面形状を有している。
【００５０】
上記構成のソール構造においては、踵からの着地時に下方への押付荷重が作用すると、各アウトソールプレート３′が、図５Ｃに示すように、後方（図右方）に倒れ込むように剪断変形する。なお、図５Ｃ中、実線は変形前の状態を、点線は変形後の状態をそれぞれ示している。このような剪断変形によって、踵からの着地時には、ミッドソール２の踵部位が、したがって着用者の足がΔ″だけ進行方向と逆方向の後方に移動する（図５Ｂ参照）。
【００５１】
これにより、前記実施例の図２Ｂの場合と同様に、踵からの着地時に足関節角度α0（図３Ａ）が減少することになる。その結果、シューズ着用者が図３Ａの状態から図３Ｂの状態への移行を意識して行なうことなく、図３Ａの状態から図３Ｂの状態に迅速に移行することができ、着地から離地までの時間を短縮できる。
【００５２】
なお、図示は省略するが、前後方向に間隔を隔てて配置された複数のアウトソールプレート３′をミッドソール２の前足部位の下面に設けるようにしてもよい。ただし、この場合には、アウトソールプレート３′の前後端面の傾きを図５Ａの場合とは逆向きにする。すなわち、アウトソールプレート３′の前後端面を、ミッドソール２の前足部位の接地面側（つまり上方）に向かうにしたがい、ミッドソール２の前端２ｆ側に傾斜しつつ延びる傾斜面とする。
【００５３】
この場合には、前記実施例の図４Ｂの場合と同様に、踵からの着地後、体重がシューズの前足部に移動したときに、各アウトソールプレート３′が前方に倒れ込むように剪断変形して、ミッドソール２の前足部位が、したがって着用者の足が進行方向に所定量移動する。その結果、前足部への体重移動時に足関節角度α１（図３Ｂ） が増加することになる。これにより、シューズ着用者が図３Ｂの状態から図３Ｃの状態への移行を意識して行なうことなく、図３Ｂの状態から図３Ｃの状態に迅速に移行することができ、着地から離地までの時間をさらに短縮できる。
【００５４】
［他の実施例２］
前記実施例では、幅方向に貫通する複数の溝２０，２１，２２をミッドソール２に形成した例を示したが、本発明の適用はこれに限定されない。図６ないし図９に示すように、本発明は、ミッドソール２の側面に凹部を形成したものにも同様に適用できる。なお、各図中、（ａ）はソール構造体の踵部の側面図、（ｂ）はそのｂ−ｂ線断面図である。各凹部２ｃ，２ｃ′は、実質的に上下方向に延びており、ミッドソール２の踵部位の側面において、踵部位の足裏当接面側に向かうにしたがい徐々に踵部位の後端２ｅの側に傾斜している。
【００５５】
図６に示すものでは、ミッドソール２の踵部位の側面に楕円状の複数の凹部２ｃが形成されている。凹部２ｃは、その楕円形状の長軸がミッドソール２の踵部位の後端２ｅの側に向かって斜め上方に配置されるように、形成されている。凹部２ｃの深さｄは、たとえば３〜５ｍｍに設定されている。
【００５６】
図７ないし図９に示すものでは、いずれも凹部２ｃ′がミッドソール２の下面まで延びており、各凹部２ｃ′の長手方向の中心線は、ミッドソール２の踵部位の後端２ｅの側に向かって斜め上方に配置されている。また、図７に示すものでは、アウトソールプレート３に凹部や溝は形成されておらず、図８に示すものでは、アウトソールプレート３に凹部３ｃが形成されており、図９に示すものでは、凹部２ｃ′に連接する幅方向の溝３０がアウトソールプレート３に形成されている。
【００５７】
図６ないし図９のいずれの場合においても、前記実施例の図２Ａおよび図５Ａの場合と同様に、踵からの着地時、ミッドソール２全体が後方（図右方）に倒れ込むように剪断変形することにより、足関節角度α0（図３Ａ）が減少する。その結果、シューズ着用者が図３Ａの状態から図３Ｂの状態への移行を意識して行なうことなく、図３Ａの状態から図３Ｂの状態に迅速に移行することができ、これにより、着地から離地までの時間を短縮できる。
【００５８】
なお、図６ないし図９に示すような凹部２ｃ，２ｃ′をミッドソール２の前足部位の側面に形成するようにしてもよい。ただし、この場合、各凹部２ｃ，２ｃ′の傾斜方向は図６ないし図９の例とは逆向きになっており、すなわち、踵部位の足裏当接面側に向かうにしたがい徐々に踵部位の前端２ｆの側に傾斜している。
【００５９】
この場合には、前記実施例の図４Ａの場合と同様に、踵からの着地後、体重がシューズの前足部に移動したときに、ミッドソール２が前方に倒れ込むように剪断変形して、ミッドソール２の前足部位が、したがって着用者の足が進行方向に所定量移動する。その結果、前足部への体重移動時に足関節角度α１（図３Ｂ） が増加することになる。これにより、シューズ着用者が図３Ｂの状態から図３Ｃの状態への移行を意識して行なうことなく、図３Ｂの状態から図３Ｃの状態に迅速に移行することができ、着地から離地までの時間をさらに短縮できる。
【図面の簡単な説明】
【００６０】
【図１】本発明の一実施例によるシューズ用ソール構造体の底面図である。
【図２Ａ】ソール構造体（図１）の踵部の側面図である。
【図２Ｂ】ソール構造体（図１）の踵部の変形状態を説明するための図である。
【図３Ａ】走行中において着地から離地までの１サイクルにおける足関節角度の変化を説明するための図であって、着地時の状態を示す図である。
【図３Ｂ】走行中において着地から離地までの１サイクルにおける足関節角度の変化を説明するための図であって、着地後離地までの間の中間状態を示す図である。
【図３Ｃ】走行中において着地から離地までの１サイクルにおける足関節角度の変化を説明するための図であって、離地時の状態を示す図である。
【図４Ａ】ソール構造体（図１）の前足部の側面図である。
【図４Ｂ】ソール構造体（図１）の前足部の変形状態を説明するための図である。
【図５Ａ】本発明の他の実施例によるソール構造体の踵部の側面図である。
【図５Ｂ】ソール構造体（図５Ａ）の踵部の変形状態を説明するための図である。
【図５Ｃ】ソール構造体（図５Ａ）の踵部におけるアウトソールプレートの変形状態を説明するための拡大図である。
【図６】（ａ）は本発明のさらに他の実施例によるソール構造体の踵部の側面図、（ｂ）はそのｂ−ｂ線断面図である。
【図７】（ａ）は図６（ａ）の変形例を示す図、（ｂ）はそのｂ−ｂ線断面図である。
【図８】（ａ）は図６（ａ）の変形例を示す図、（ｂ）はそのｂ−ｂ線断面図である。
【図９】（ａ）は図６（ａ）の変形例を示す図、（ｂ）はそのｂ−ｂ線断面図である。
【符号の説明】
【００６１】
１：  ソール構造体
２：  ミッドソール
２ｃ，２ｃ′：  凹部
２ｅ：  後端
２ｆ：  前端
２０，２１，２２：  溝
２５，２７：  ミッドソール部分
３，３′，４，５：  アウトソールプレート
３′ｆ：  前端面
３′ｅ：  後端面
Δ，Δ′，Δ″：  移動量
Ｈ：  踵部
Ｍ：  中足部
Ｆ：  前足部
【図１】
2005218543.tif 000003
【図２Ａ】
2005218543.tif 000004
【図２Ｂ】
2005218543.tif 000005
【図３Ａ】
2005218543.tif 000006
【図３Ｂ】
2005218543.tif 000007
【図３Ｃ】
2005218543.tif 000008
【図４Ａ】
2005218543.tif 000009
【図４Ｂ】
2005218543.tif 000010
【図５Ａ】
2005218543.tif 000011
【図５Ｂ】
2005218543.tif 000012
【図５Ｃ】
2005218543.tif 000013
【図６】
2005218543.tif 000014
【図７】
2005218543.tif 000015
【図８】
2005218543.tif 000016
【図９】
2005218543.tif 000017